(57)【特許請求の範囲】
【請求項１】
既存の浴槽の外部に設置されて、要介護者を前記浴槽の入浴位置から前記浴槽から外れた非入浴位置へ移動させる入浴装置であって、
内部の下方側に錘が設けられた直方体形状の入浴装置本体と、
該入浴装置本体の一端側に立設された進退可能な昇降シリンダと、
作動液が貯留されたタンク、該タンクの作動液を前記昇降シリンダへ送り出すポンプ、該ポンプから昇降シリンダへの流路を開閉させる電磁弁、および該電磁弁を駆動させるリレーから構成されて、前記入浴装置本体の内部の錘の上方側に設けられ、前記昇降シリンダへ油圧を送り昇降シリンダを進退させる駆動装置と、
該昇降シリンダの上端部に回動可能に連結されたアームと、
該アームの先端部に設けられた椅子と、
前記入浴装置本体の一側部側における前記入浴位置と前記非入浴位置との間にて前記アームの回動範囲を規制する回動機構と、
前記入浴装置本体の前記昇降シリンダ側の端部に、前記入浴装置本体に対して略直交する方向へかつ前記アームの回動範囲の略中心位置に延在されて床面に設置される支持部材とを具備することを特徴とする入浴装置。
【発明の詳細な説明】
【０００１】
【発明の属する技術分野】
この発明は、在宅にて、例えば高齢者等の要介護者を自宅の浴槽へ入浴させる入浴装置に関するものである。
【０００２】
【従来の技術】
従来より、在宅用の入浴装置として、本出願人は、実公平６−２３２９０号公報に示すように、浴槽にリフト装置を設けた入浴装置を開発した。
この入浴装置は、浴槽に一体的に設けられた入浴装置本体と、この入浴装置本体に上下方向へ立設されたシリンダと、このシリンダの先端部に回動可能に連結されたアームと、このアームの先端部に吊り下げられた椅子とから概略構成されたもので、椅子に要介護者を座らせた状態にて、シリンダによって椅子を上昇させてアームを回動させて、椅子を浴槽の上方へ移動させ、この状態にてシリンダによって椅子を下降させることにより、要介護者を椅子ごと浴槽内に入れて入浴させることができるようになっている。
【０００３】
【発明が解決しようとする課題】
ところで、上記の入浴装置は、浴槽にリフト装置が設けられたものであるので、自宅の浴室に設置する場合、既存の浴槽と交換しなければならず、その交換作業に多大な手間及び労力を要するとともに、既存の浴槽が無駄になってしまうという問題があった。
【０００４】
この発明は、上記事情に鑑みてなされたもので、既存の浴槽を無駄にすることなく、極めて容易に自宅の浴室に設置して在宅にて要介護者の入浴を行うことが可能な入浴装置を提供することを目的としている。
【０００５】
【課題を解決するための手段】
上記目的を達成するために、請求項１記載の入浴装置は、既存の浴槽の外部に設置されて、要介護者を前記浴槽の入浴位置から前記浴槽から外れた非入浴位置へ移動させる入浴装置であって、内部の下方側に錘が設けられた直方体形状の入浴装置本体と、該入浴装置本体の一端側に立設された進退可能な昇降シリンダと、作動液が貯留されたタンク、該タンクの作動液を前記昇降シリンダへ送り出すポンプ、該ポンプから昇降シリンダへの流路を開閉させる電磁弁、および該電磁弁を駆動させるリレーから構成されて、前記入浴装置本体の内部の錘の上方側に設けられ、前記昇降シリンダへ油圧を送り昇降シリンダを進退させる駆動装置と、該昇降シリンダの上端部に回動可能に連結されたアームと、該アームの先端部に設けられた椅子と、前記入浴装置本体の一側部側における前記入浴位置と前記非入浴位置との間にて前記アームの回動範囲を規制する回動機構と、前記入浴装置本体の前記昇降シリンダ側の端部に、前記入浴装置本体に対して略直交する方向へかつ前記アームの回動範囲の略中心位置に延在されて床面に設置される支持部材とを具備することを特徴としている。
【０００６】
【発明の実施の形態】
以下、本発明の入浴装置の実施の形態を図によって説明する。
図１〜図４において、符号１は、直方体形状の入浴装置本体である。この入浴装置本体１には、その一端側に昇降シリンダ２が立設されており、この昇降シリンダ２の先端部には、回動機構３を介して、先端部に椅子４が設けられたアーム５が連結されている。
【０００７】
入浴装置本体１は、図５に示すように、ケース６を構成する底板７には、複数の脚部８が設けられており、これら脚部８によってケース６が床面９に設置されている。ケース６の内部には、その下方側に錘１１が設けられており、これら錘１１の上方側には、駆動装置１２が設けられている。この駆動装置１２は、前記昇降シリンダ２へ油圧を送り、この昇降シリンダ２を進退させて前記椅子４を昇降させるもので、作動液が貯留されたタンク１３と、このタンク１３の作動液を加圧して昇降シリンダ２へ送り出すポンプ１４と、ポンプ１４から昇降シリンダ２への流路を開閉させる電磁弁１５と、この電磁弁１５に制御信号を送信して駆動させるリレー１６とから構成されている。そして、このリレー１６には、後述するコントローラ１７が接続されており、このコントローラ１７を操作することにより、昇降シリンダ２が進退されるようになっている。
【０００８】
また、入浴装置本体１には、昇降シリンダ２の配設側の端部に、支持部材２１が、入浴装置本体１に対して略直交する方向に配設されて固定されている。この支持部材２１は、その一端部が入浴装置本体１に固定され、他端部が側方へ延在されている。また、入浴装置本体１の昇降シリンダ２の配設側端部には、脚部２２を有する補助支持部材２３が取り付けられている。また、入浴装置本体１には、その上端部に、側方へ突出された位置決め片２４が設けられており、既存の浴槽Ａの上端に固定することにより、入浴装置本体１が位置決めされるようになっている。
【０００９】
次に、回動機構３の構成及び構造を図６〜図９によって説明する。
昇降シリンダ２の上端部に設けられた回動機構３は、昇降シリンダ２の先端部からなる軸３１に取り付けられたアーム固定部材３２を有しており、このアーム固定部材３２が、上下に配設された軸受け３３によって軸３１に回動可能に支持されている。そして、このアーム固定部材３２に、前記アーム５の基端部がボルト締結されて固定されている。
また、軸３１には、その外周にホルダ３４が固定されいる。このホルダ３４には、その下端部に、周方向へ所定角度の切欠部３５が形成されており、この切欠部３５には、アーム固定部材３２に固定されたピン３６が配設されている。即ち、切欠部３５が形成された範囲内にてピン３６が移動可能とされ、したがって、アーム固定部材３２の回動が切欠部３５内にて移動されるピン３６によって所定角度に規制されている。
【００１０】
ホルダ３４には、中間部に、二つの孔部３７が所定角度（約１１４°）隔てた位置に形成されており、これら孔部３７には、アーム固定部材３２に設けられたロック機構４１を構成するストッパ４２が挿脱されるようになっている。
【００１１】
次に、このストッパ４２を有するロック機構４１について説明する。
前記アーム固定部材３２には、その両側部に、取り付け金具４３によって支持軸４４が回動可能に支持されており、これら支持軸４４の端部には、それぞれハンドル４５が固定されている。これら支持軸４４には、リンク板４６が固定されており、これらリンク板４６同士が連結金具４７によって互いに連結されて、互いの支持軸４４が連動されるようになっている。また、前記リンク板４６には、それぞれローラ４８が取り付けられており、これらローラ４８は、前記ストッパ４２が固定されたコ字状に形成されたブラケット４９の両側部に形成された長孔５１に挿通されている。このブラケット４９には、その一側部側に係止片５２が形成されており、この係止片５２には、アーム固定部材３２の側部に設けられた係止突起５３に一端部が係止されたスプリング５４の他端部が係止されている。そして、このスプリング５４によってブラケット４９が軸３１の軸心方向へ引っ張られ、ストッパ４２が前記孔部３７へ挿入された位置に維持されるようになっている。
なお、図中符号５５は、アーム固定部材３２に取り付けられて回動機構３の周囲を覆うカバーである。
【００１２】
アーム５の先端部に連結された椅子４は、アーム５に対して回動可能とされており、この連結箇所には、アーム５に対する椅子４の回動を所定位置にて停止させるストッパ機構５６が設けられている。そして、このストッパ機構５６を構成するレバー５７を操作することにより、アーム５に対して椅子４が回動可能とされた状態からその回動が禁止されるようになっている。
椅子４は、ストッパ機構５６に連結されて吊り下げられたパイプ５８と、このパイプ５８の下端部に取り付けられたマット付き座面５９と、パイプ５８の中間部に設けられたマット付き背当６１と、前記ストッパ機構５６に取り付けられたマット付き頭部６２とを有するものであり、パイプ５８の中間部分には、手すり６３が固定されている。なお、図３中符号６４は、椅子４に座らせた要介護者を椅子４へ保持するための安全ベルトである。
【００１３】
また、アーム５の中間部には、下方側にフック６５が設けられており、このフック６５には、前記コントローラ１７が引っかけられるようになっている。
このコントローラ１７は、図１０及び図１１に示すように、上昇ボタン７１及び下降ボタン７２を有している。これら上昇ボタン７１及び下降ボタン７２は、ケース本体７３に形成された孔部に、摺動可能に設けられた有底筒状のカバー７４と、このカバー７４内に収納された空気ポンプ７５とからなるもので、これら空気ポンプ７５には、チューブ７６が接続されている。そして、これらチューブ７６が入浴装置本体１内に設けられたリレー１６に接続されている。
【００１４】
つまり、このコントローラ１７の上昇ボタン７１及び下降ボタン７２を押下することにより、カバー７４の内部の空気ポンプ７５からチューブ７６へ空気が送り出され、入浴装置本体１内のリレー１６が作動されるようになっている。そして、上昇ボタン７１を押下すると、タンク１３内の作動液がポンプ１４によって昇降シリンダ２へ送り込まれて昇降シリンダ２が伸長して椅子４が上昇され、また、下降ボタン７２を押下すると、昇降シリンダ２内の作動液がタンク１３内へ戻されて昇降シリンダ２が収縮して椅子４が下降されるようになっている。
【００１５】
次に、上記構造の入浴装置を浴室内に設置する場合について説明する。
（Ａ）入浴装置本体１を浴槽Ａに沿って配設する場合、つまり、浴槽Ａの短辺側の側部に入浴装置本体１を設置するためのスペースがある場合は、この入浴装置本体１を、浴槽Ａの短辺側の側部に配置して位置決め片２４を浴槽Ａの上端部に固定して位置決めし、入浴装置本体１に取り付けられた支持部材２１を、浴槽Ａの長辺側の側部に沿って配置する。
そして、この場合、回動機構３の軸３１に取り付けられたホルダ３４の位置を調整して、アーム５の回動範囲を、支持部材２１の延在方向側とする。
このように入浴装置を設置すると、椅子４が浴槽Ａの位置から浴槽Ａから外れた洗い場の位置の間にて移動可能とされる。
【００１６】
（Ｂ）入浴装置本体１を浴槽Ａに沿って配設しない場合、つまり、浴槽Ａの短辺側の側部に入浴装置本体１を設置するためのスペースがない場合は、まず、補助支持部材２３を取り外して支持部材２１を、上記の場合とは逆に取り付け、さらに、入浴装置本体１の上端部に設けられた位置決め片２４を昇降シリンダ２側の端部に設けておく、この状態にて、入浴装置本体１を、その昇降シリンダ２側の端部が浴槽Ａ側となるようにかつ浴槽Ａの短辺側の側部と略面一となるように配設して位置決め片２４を浴槽Ａの上端部に固定して位置決めし、入浴装置本体１に取り付けられた支持部材２１を、浴槽Ａの長辺側の側部に沿って配置する。
そして、この場合、回動機構３の軸３１に取り付けられたホルダ３４の位置を調整して、アーム５の回動範囲を、支持部材２１の延在方向側とする。
このように入浴装置を設置すると、上記と同様に、椅子４が浴槽Ａの位置から浴槽Ａから外れた洗い場の位置の間にて移動可能とされる。
【００１７】
そして、上記（Ａ）あるいは（Ｂ）のように設置された入浴装置によれば、椅子４を洗い場の位置へ移動させた状態にて、コントローラ１７の下降ボタン７２を押下して椅子４を下降させて要介護者を椅子４へ座らせることができる。
そして、この状態からコントローラ１７の上昇ボタン７１を押下して椅子４を上昇させ、回動機構３のハンドル４５を操作して、支持軸４４を回動させる。
【００１８】
このようにすると、この支持軸４４とともにリンク板４６が回動され、これにともない、長孔５１に挿通されているローラ４８によってブラケット４９がスプリング５４の付勢力に反して軸３１から離間する方向へ移動され、これにより、このブラケット４９に設けられたストッパ４２がホルダ３４の孔部３７から抜き出され、アーム固定部材３２が回動可能な状態とされる。つまり、この状態にてアーム５を回動させて椅子４を浴槽Ａの上方へ移動させる。
【００１９】
ここで、アーム５の回動にともない、ストッパ４２がホルダ３４の他の孔部３７の形成位置へ到達すると、このストッパ４２がスプリング５４の付勢力によって孔部３７内へ入り込む。これにより、アーム固定部材３２の回動が禁止されて、椅子４が浴槽Ａの上方位置に保持される。
そして、コントローラ１７の下降ボタン７１を押下すると、椅子４に座った要介護者が椅子４とともに下降し、浴槽Ａ内へ入れられて入浴状態とされる。なお、上記入浴作業を行う場合、ストッパ機構５６を操作して椅子４の向きを調節する。
【００２０】
以上、説明したように、上記構成の入浴装置によれば、既存の浴槽Ａの外部に極めて容易に設置することができるので、既存の浴槽Ａを要介護者用の浴槽、つまり、リフト装置が付加された専用の浴槽と交換する必要をなくすことができ、浴槽の交換及び交換作業にともなうコストアップをなくすことができる。つまり、既存の浴槽Ａを無駄にすることなく、極めて容易に自宅の浴槽Ａを要介護者にも適応可能な浴槽とすることができる。
また、この入浴装置を浴室へ設置した場合、入浴装置本体１に対して略直交する方向かつアーム５の回動範囲の略中心位置に延在されて床面９に設置される支持部材２１が入浴装置本体１に連結されているので、入浴装置を確実に床面９に設置させることができるとともに、要介護者を座らせても確実な安定感を得ることができる。
【００２１】
なお、上記実施の形態では、入浴装置を浴室の床面９に載置させることにより設置したが、アンカーによって浴室の床面９に締結固定しても良いことは勿論である。
【００２２】
【発明の効果】
以上、説明したように、本発明の入浴装置によれば、下記の効果を得ることができる。
請求項１記載の入浴装置によれば、既存の浴槽の外部に極めて容易に設置することができるので、既存の浴槽を要介護者用の浴槽、つまり、リフト装置が付加された専用の浴槽と交換する必要をなくすことができ、浴槽の交換及び交換作業にともなうコストアップをなくすことができる。つまり、既存の浴槽を無駄にすることなく、極めて容易に自宅の浴槽を要介護者にも適応可能な浴槽とすることができる。
また、この入浴装置を浴室へ設置した場合、入浴装置本体に対して略直交する方向へかつアームの回動範囲の略中心位置に延在されて床面に設置される支持部材が入浴装置本体に連結されているので、入浴装置を確実に床面に設置させることができるとともに、要介護者を座らせても確実な安定感を得ることができる。
【図面の簡単な説明】
【図１】  本発明の実施の形態の入浴装置を説明する入浴装置の斜視図である。
【図２】  本発明の実施の形態の入浴装置を説明する入浴装置の平面図である。
【図３】  本発明の実施の形態の入浴装置を説明する入浴装置の側面図である。
【図４】  本発明の実施の形態の入浴装置を説明する入浴装置の裏面図である。
【図５】  本発明の実施の形態の入浴装置を構成する入浴装置本体の内部構造を説明する入浴装置本体の断面図である。
【図６】  本発明の実施の形態の入浴装置を構成する回動機構の内部構造を説明する回動機構の側断面図である。
【図７】  本発明の実施の形態の入浴装置を構成する回動機構の内部構造を説明する回動機構の断面図である。
【図８】  本発明の実施の形態の入浴装置を構成する回動機構の内部構造を説明する回動機構の側面図である。
【図９】  本発明の実施の形態の入浴装置を構成する回動機構の内部構造を説明する回動機構の正面図である。
【図１０】  本発明の実施の形態の入浴装置を構成するコントローラの構成及び構造を説明するコントローラの平面図である。
【図１１】  本発明の実施の形態の入浴装置を構成するコントローラの構成及び構造を説明するコントローラの断面図である。
【図１２】  本発明の実施の形態の入浴装置の他の配置状態を説明する入浴装置の平面図である。
【符号の説明】
１  入浴装置本体
２  昇降シリンダ
３  回動機構
４  椅子
５  アーム
９  床面
１１  錘
２１  支持部材
Ａ  浴槽
【図１】
0003926422.tif 000002
【図２】
0003926422.tif 000003
【図３】
0003926422.tif 000004
【図４】
0003926422.tif 000005
【図５】
0003926422.tif 000006
【図６】
0003926422.tif 000007
【図７】
0003926422.tif 000008
【図８】
0003926422.tif 000009
【図９】
0003926422.tif 000010
【図１０】
0003926422.tif 000011
【図１１】
0003926422.tif 000012
【図１２】
0003926422.tif 000013